【手続補正書】
【提出日】平成18年7月11日(2006.7.11)
【手続補正１】
【補正対象書類名】明細書
【補正対象項目名】特許請求の範囲
【補正方法】変更
【補正の内容】
【特許請求の範囲】
【請求項１】  １以上のキャラクタ列からなるサンプルテキストが予め入力された複数のデザインフォームを記憶する記憶手段と、
前記記憶手段に記憶された複数のデザインフォームの中から１のデザインフォームを選択する選択手段と、
前記選択手段によって選択されたデザインフォームのサンプルテキストを編集してオリジナルテキストを作成する編集手段と、
前記サンプルテキストまたは編集中の前記オリジナルテキストを画面上に表示すると共に、編集対象となるキャラクタに対しカーソルを付して表示する表示手段と、を備え、
前記表示手段は、前記サンプルテキストを表示する初期状態において、前記カーソルを前記サンプルテキストの最後のキャラクタに付して表示することを特徴とするキャラクタ入力装置。
【請求項２】  前記サンプルテキスト毎に予め書式が設定されており、
前記編集手段により作成される前記オリジナルテキストの書式は、前記サンプルテキストに設定された書式にしたがって決定されることを特徴とする請求項１に記載のキャラクタ入力装置。
【請求項３】  前記サンプルテキストは１以上のキャラクタ列の集合からなる段落により構成されると共に、当該段落毎に予め書式が設定されており、
前記編集手段により作成される前記オリジナルテキストの書式は、前記サンプルテキストに設定された各段落の書式にしたがって決定されることを特徴とする請求項１に記載のキャラクタ入力装置。
【請求項４】  前記キャラクタ列毎に予め書式が設定されており、前記編集手段により作成される前記オリジナルテキストの書式は、前記サンプルテキストに設定された各キャラクタ列の書式にしたがって決定されることを特徴とする請求項１に記載のキャラクタ入力装置。
【請求項５】  前記キャラクタ列毎に入力可能なキャラクタ領域が予め設定されている場合、当該入力可能なキャラクタ領域を超えたキャラクタの入力を禁止する入力禁止手段を更に備えたことを特徴とする請求項１ないし４のいずれかに記載のキャラクタ入力装置。
【請求項６】  前記編集手段は、前記カーソルを付したキャラクタの直前のキャラクタを消去するＢＳ操作により削除操作を行うことを特徴とする請求項１ないし５のいずれかに記載のキャラクタ入力装置。
【請求項７】  請求項１ないし６のいずれかに記載のキャラクタ入力装置と、
前記サンプルテキストまたは前記オリジナルテキストが入力されたデザインフォームをテープ上に印刷する印刷手段と、を備えたことを特徴とするテープ印刷装置。
【請求項８】  １以上のキャラクタ列からなるサンプルテキストが予め入力された複数のデザインフォームを記憶する記憶工程と、
前記記憶工程に記憶された複数のデザインフォームの中から１のデザインフォームを選択する選択工程と、
前記選択手段によって選択された前記デザインフォームのサンプルテキストを編集してオリジナルテキストを作成する編集工程と、
前記サンプルテキストまたは編集中の前記オリジナルテキストを画面上に表示すると共に、編集対象となるキャラクタに対しカーソルを付して表示する表示工程と、を備え、
前記表示工程は、前記サンプルテキストを表示する初期状態において、前記カーソルを前記サンプルテキストの最後のキャラクタに付して表示することを特徴とするキャラクタ入力方法。
【請求項９】  前記サンプルテキスト毎に予め書式が設定されており、
前記編集工程により作成される前記オリジナルテキストの書式は、前記サンプルテキストに設定された書式にしたがって決定されることを特徴とする請求項８に記載のキャラクタ入力方法。
【請求項１０】  前記サンプルテキストは１以上のキャラクタの集合からなる段落により構成されると共に、当該段落毎に予め書式が設定されており、前記編集工程により作成される前記オリジナルテキストの書式は、前記サンプルテキストに設定された各段落の書式にしたがって決定されることを特徴とする請求項８に記載のキャラクタ入力方法。
【請求項１１】  前記キャラクタ列毎に予め書式が設定されており、前記編集工程により作成される前記オリジナルテキストの書式は、前記サンプルテキストに設定された各キャラクタ列の書式にしたがって決定されることを特徴とする請求項８に記載のキャラクタ入力方法。
【請求項１２】  前記編集工程は、前記カーソルを付したキャラクタの直前のキャラクタを消去するＢＳ操作により削除操作を行うことを特徴とする請求項８ないし１１のいずれかに記載のキャラクタ入力方法。
【手続補正２】
【補正対象書類名】明細書
【補正対象項目名】０００７
【補正方法】変更
【補正の内容】
【０００７】
【課題を解決するための手段】
本発明のキャラクタ入力装置は、１以上のキャラクタ列からなるサンプルテキストが予め入力された複数のデザインフォームを記憶する記憶手段と、記憶手段に記憶された複数のデザインフォームの中から１のデザインフォームを選択する選択手段と、選択手段によって選択されたデザインフォームのサンプルテキストを編集してオリジナルテキストを作成する編集手段と、サンプルテキストまたは編集中のオリジナルテキストを画面上に表示すると共に、編集対象となるキャラクタに対しカーソルを付して表示する表示手段と、を備え、表示手段は、サンプルテキストを表示する初期状態において、カーソルをサンプルテキストの最後のキャラクタに付して表示することを特徴とする。
この場合、サンプルテキスト毎に予め書式が設定されており、編集手段により作成されるオリジナルテキストの書式は、サンプルテキストに設定された書式にしたがって決定されることが好ましい。
この場合、サンプルテキストは１以上のキャラクタ列の集合からなる段落により構成されると共に、当該段落毎に予め書式が設定されており、編集手段により作成されるオリジナルテキストの書式は、サンプルテキストに設定された各段落の書式にしたがって決定されることが好ましい。
この場合、キャラクタ列毎に予め書式が設定されており、編集手段により作成されるオリジナルテキストの書式は、サンプルテキストに設定された各キャラクタ列の書式にしたがって決定されることが好ましい。
これらの場合、キャラクタ列毎に入力可能なキャラクタ領域が予め設定されている場合、当該入力可能なキャラクタ領域を超えたキャラクタの入力を禁止する入力禁止手段を更に備えたことが好ましい。
これらの場合、編集手段は、カーソルを付したキャラクタの直前のキャラクタを消去するＢＳ操作により削除操作を行うことが好ましい。
本発明のテープ印刷装置は、上記のいずれかに記載のキャラクタ入力装置と、サンプルテキストまたはオリジナルテキストが入力されたデザインフォームをテープ上に印刷する印刷手段と、を備えたことを特徴とする。
【手続補正３】
【補正対象書類名】明細書
【補正対象項目名】０００８
【補正方法】変更
【補正の内容】
【０００８】
また、本発明のキャラクタ入力方法は、１以上のキャラクタ列からなるサンプルテキストが予め入力された複数のデザインフォームを記憶する記憶工程と、記憶工程に記憶された複数のデザインフォームの中から１のデザインフォームを選択する選択工程と、選択手段によって選択されたデザインフォームのサンプルテキストを編集してオリジナルテキストを作成する編集工程と、サンプルテキストまたは編集中のオリジナルテキストを画面上に表示すると共に、編集対象となるキャラクタに対しカーソルを付して表示する表示工程と、を備え、表示工程は、サンプルテキストを表示する初期状態において、カーソルをサンプルテキストの最後のキャラクタに付して表示することを特徴とする。
この場合、サンプルテキスト毎に予め書式が設定されており、編集工程により作成されるオリジナルテキストの書式は、サンプルテキストに設定された書式にしたがって決定されることが好ましい。
この場合、サンプルテキストは１以上のキャラクタの集合からなる段落により構成されると共に、当該段落毎に予め書式が設定されており、編集工程により作成されるオリジナルテキストの書式は、サンプルテキストに設定された各段落の書式にしたがって決定されることが好ましい。
この場合、キャラクタ列毎に予め書式が設定されており、編集工程により作成されるオリジナルテキストの書式は、サンプルテキストに設定された各キャラクタ列の書式にしたがって決定されることが好ましい。
これらの場合、編集工程は、カーソルを付したキャラクタの直前のキャラクタを消去するＢＳ操作により削除操作を行うことが好ましい。